(57)【特許請求の範囲】
【請求項１】
室内機の吹出口に上下風向装置を備える空気調和機において、
前記上下風向装置が、
基端部が前記吹出口に上下揺動可能に軸支持されたアームと、
前記アームの先端部に伏仰動可能に軸支持され風向板駆動部により伏仰動される上下風向板と、
前記吹出口の上方のフレームに設置され前記アームを吊上げて上下揺動させるアーム駆動部と、
を備えることを特徴とする空気調和機。
【請求項２】
前記アーム駆動部は、前記アームの中間部に連結し、第１のモータで駆動される第１のピニオンにより上下駆動される第１のラックを備えることを特徴とする請求項１に記載の空気調和機。
【請求項３】
前記第１のピニオンは、前記室内機の露受けの外側に配置され、前記第１のラックは、上部が外方へ倒れるように傾斜して配置されるとともに前記アームに軸方向にスライド可能に連結されていることを特徴とする請求項２に記載の空気調和機。
【請求項４】
前記風向板駆動部は、前記上下風向板に連結し、第２のモータで駆動される第２のピニオンにより前後駆動される第２のラックを備えることを特徴とする請求項１〜３のいずれか一つに記載の空気調和機。
【請求項５】
前記第２のピニオンは、前記アームの揺動軸と同軸に配置され、前記第２のラックは、リンクを介して前記上下風向板に連結され、前記アームにガイドされて前後駆動されることを特徴とする請求項４に記載の空気調和機。
【請求項６】
前記第１のモータ及び第２のモータは、前記室内機の制御部が配置された該室内機の一方の側部に配置されていることを特徴とする請求項４又は５に記載の空気調和機。
【発明の詳細な説明】
【技術分野】
【０００１】
本発明は、室内機の吹出口に上下風向装置を備えた空気調和機に関するものである。
【背景技術】
【０００２】
従来、空気調和機の吹出口において、第１のモータにより駆動され、該第１のモータの軸回りに揺動するアームと、該アームの先端部に伏仰動可能に軸支されるとともに第２のモータにより伏仰動される上下風向板と、を備え、前記アームと上下風向板とを独立に駆動し、暖房時と冷房時とで前記上下風向板の位置を大きく異ならせるようにしたものがある。この空気調和機は、前記吹出口近傍の一側部に前記第１のモータを配置し、他側部に前記第２のモータを配置している（例えば、特許文献１参照）。
【０００３】
【特許文献１】特開２００２−３１４００号公報
【発明の開示】
【発明が解決しようとする課題】
【０００４】
しかしながら、上記従来の空気調和機は、先端部に大型の上下風向板を支持するアームを第１のモータの回転トルクにより揺動させるので、第１のモータに大トルクが必要であり、モータが大型化しコスト高となる、という問題があった。
【０００５】
また、空気調和機の一側部に第１のモータを配置し、他側部に第２のモータを配置するので、空気調和機の制御部から遠い側部に配置されるモータへの配線スペースを設けなければならない、という問題があった。
【０００６】
本発明は、上記に鑑みてなされたものであって、重く大型の上下風向板であっても、小さな力で移動させることができる上下風向装置を備えた空気調和機を得ることを目的とする。また、モータへの配線スペースを縮小することができる上下風向装置を備えた空気調和機得ることを目的とする。
【課題を解決するための手段】
【０００７】
上述した課題を解決し、目的を達成するために、本発明は、室内機の吹出口に上下風向装置を備える空気調和機において、前記上下風向装置が、基端部が前記吹出口に上下揺動可能に軸支持されたアームと、前記アームの先端部に伏仰動可能に軸支持され風向板駆動部により伏仰動される上下風向板と、前記吹出口の上方のフレームに設置され前記アームを吊上げて上下揺動させるアーム駆動部と、を備えることを特徴とする。
【発明の効果】
【０００８】
この発明によれば、重く大型の上下風向板であっても、小さな力で移動させることができる上下風向装置を備えた空気調和機が得られる、という効果を奏する。
【発明を実施するための最良の形態】
【０００９】
以下に、本発明にかかる空気調和機の実施例を図面に基づいて詳細に説明する。なお、この実施例によりこの発明が限定されるものではない。
【実施例】
【００１０】
図１は、本発明にかかる上下風向装置を搭載した空気調和機の室内機の外観を示す下方斜視図であり、図２は、室内機の上面パネル及び前面パネルを取外した状態を示す右方斜視図であり、図３は、吹出口に設置された実施例の上下風向装置を示す右方斜視図であり、図４は、吹出口に設置された実施例の上下風向装置を示す下方斜視図であり、図５は、通常冷房時の上下風向板の位置と姿勢を示す縦断面図であり、図６は、急冷房時の上下風向板の位置と姿勢を示す縦断面図であり、図７は、急暖房時の上下風向板の位置と姿勢を示す縦断面図であり、図８は、通常暖房時の上下風向板の位置と姿勢を示す縦断面図である。
【００１１】
図１に示すように、実施例の空気調和機の室内機１００は、外形が横長の直方体状に形成され、筺体１０の上部に設置された上面パネル１２に形成された吸込口と、筺体１０の下部に設けられた吹出口１４と、吸込口と吹出口１４との間の筺体１０に形成された空気通路とを備えている。
【００１２】
図示はしないが、空気通路には、吸込口側から順に、除塵用のフィルタ、熱交換器１３（図２参照）、及び、送風ファンとファンモータとファンモータ取付部とから成る送風ファン部１５、が配置されている。送風ファン部１５の送風ファンを回転駆動して、吸込口から空気通路内へ室内の空気を吸込み、フィルタで除塵し、熱交換器１３で冷却又は加熱し、吹出口１４から室内へ吹き出す。吹出口１４の最前部には、以下に説明する実施例の上下風向装置２０が設置されている。
【００１３】
図２〜図８に示すように、上下風向装置２０は、基端部２１ａ（図５参照）が吹出口１４に上下揺動可能に軸支持された３本のアーム２１（図３参照）と、アーム２１の先端部２１ｂ(図５参照)に伏仰動可能に軸支持され風向板駆動部３０により伏仰動される上下風向板２２と、吹出口１４の上方のフレーム１６に設置されアーム２１を吊上げて上下揺動させる３機のアーム駆動部４０（図３参照）と、を備えている。
【００１４】
夫々のアーム駆動部４０は、アーム２１の中間部に連結し、Ｄカットシャフト４５（図２参照）を介して、第１のモータ４１で駆動される第１のピニオン４２（図５参照）により上下駆動される第１のラック４３を備えている。
【００１５】
第１のピニオン４２は、熱交換器１３の結露を受ける露受け１７の外側に配置され、第１のラック４３は、上部が外方へ倒れるように傾斜して配置されている。第１のラック４３の上部を外方へ下部を内方へ傾斜させたので、後述の上下風向板２２を伏仰動させたとき、上下風向板２２が第１のラック４３と干渉しない。
【００１６】
アーム２１の中間部には、長孔２１ｃが設けられている。第１のラック４３の下部は二股になっていて、第１のラック４３は、下端部のピンを介して、アーム２１の長孔２１ｃにアーム２１の軸方向にスライド可能に連結されている。このスライド連結機構により、第１のラック４３の上下直線移動によってアーム２１を上下揺動（円弧を描く動き）させることができる。以上、実施例のアーム駆動部４０について説明したが、アーム駆動部は、リール巻取りワイヤで構成することができる。
【００１７】
風向板駆動部３０は、上下風向板２２に連結し、第２のモータ３１で駆動される第２のピニオン３２により前後駆動される第２のラック３３を備えている。第２のピニオン３２は、アーム２１の揺動軸と同軸に配置されている。第２のラック３３は、リンク３４を介して上下風向板２２に連結されている。
【００１８】
第２のラック３３は、アーム２１を摺動可能に把持する腕部３３ａを有し、アーム２１にガイドされ、アーム２１に沿って前後駆動される。第２のピニオン３２がアーム２１の揺動軸と同軸に配置され、第２のラック３３が、アーム２１に沿って前後駆動されるので、アーム２１が揺動軸回りに上下揺動しても、第２のラック３３の前後駆動に支障はない。
【００１９】
実施例の室内機１００は、アーム駆動部４０を３機備えているが、風向板駆動部３０は１機で足りる。なお、風向板駆動部は、アーム２１の揺動軸と同軸に配置されたベルト車と、アーム２１の先端部２１ｂの上下風向板２２の伏仰軸に設けられたベルト車と、両ベルト車に掛けられたベルトと、から成るベルト駆動としてもよいし、ベルトに替えて歯車駆動としてもよい。
【００２０】
第１のモータ４１及び第２のモータ３１は、室内機１００の制御部（図示せず）が配置された室内機１００の一方の側部（右側）に配置されている。それ故、室内機１００の一側部に第１のモータ４１を配置し、他側部に第２のモータ３１を配置する従来の空気調和機に比べ、室内機１００の制御部から遠い側部に配置されるモータへの配線スペースを縮小することができる。
【００２１】
次に、図５〜図８を参照して、実施例の空気調和機の上下風向装置２０の作用について説明する。図５に示すように、通常冷房時は、第１のラック４３を伸ばしてアーム２１を下方へ揺動させ、第２のラック３３を縮めて上下風向板２２を表面２２ａを下に向けて略水平にし、吹出口１４からの冷気を上下風向板２２の上を通して水平方向に吹出させ、部屋の中央部にいる人に直接冷気が当たらないようにする。
【００２２】
図６に示すように、急冷房時は、第１のラック４３を更に伸ばしてアーム２１を更に下方へ揺動させ、第２のラック３３を更に縮めて上下風向板２２を表面２２ａを下に向けて斜め下に向け、吹出口１４からの冷気を上下風向板２２の上下を通して斜め下方向に吹出させ、部屋の中央部にいる人に冷気を当てるようにする。
【００２３】
図７に示すように、急暖房時は、第１のラック４３を少し縮めてアーム２１を上方へ揺動させ、第２のラック３３を伸ばして上下風向板２２を裏面２２ｂを吹出口に向けるようにして急角度で傾斜させ、吹出口１４からの暖気を上下風向板２２の裏面に当てて急降下させ、部屋の床面近傍を暖めるようにする。
【００２４】
図８に示すように、通常暖房時は、第１のラック４３を更に縮めてアーム２１を更に上方へ揺動させ、第２のラック３３を更に伸ばして上下風向板２２を裏面２２ｂを下に向けて緩傾斜させ、吹出口１４からの暖気を上下風向板２２の下を通して広範囲に吹出させ、部屋全体に暖気が行きわたるようにする。
【産業上の利用可能性】
【００２５】
以上のように、本発明にかかる空気調和機は、小型の家庭用空気調和機として有用である。
【図面の簡単な説明】
【００２６】
【図１】本発明にかかる上下風向装置を搭載した空気調和機の室内機の外観を示す下方斜視図である。
【図２】室内機の上面パネル及び前面パネルを取外した状態を示す右方斜視図である。
【図３】吹出口に設置された実施例の上下風向装置を示す右方斜視図である。
【図４】吹出口に設置された実施例の上下風向装置を示す下方斜視図である。
【図５】通常冷房時の上下風向板の位置と姿勢を示す縦断面図である。
【図６】急冷房時の上下風向板の位置と姿勢を示す縦断面図である。
【図７】急暖房時の上下風向板の位置と姿勢を示す縦断面図である。
【図８】通常暖房時の上下風向板の位置と姿勢を示す縦断面図である。
【符号の説明】
【００２７】
１０  筐体
１２  上面パネル
１３  熱交換器
１４  吹出口
１５  送風ファン
１６  フレーム
１７  露受け
２０  上下風向装置
２１  アーム
２１ａ  基端部
２１ｂ  先端部
２１ｃ  長孔
２２  上下風向板
２２ａ  表面
２２ｂ  裏面
３０  風向板駆動部
３１  第２のモータ
３２  第２のピニオン
３３  第２のラック
３３ａ  腕部
３４  リンク
４０  アーム駆動部
４１  第１のモータ
４２  第１のピニオン
４３  第１のラック
１００  室内機
【図１】
0005040762.tif 000002
【図２】
0005040762.tif 000003
【図３】
0005040762.tif 000004
【図４】
0005040762.tif 000005
【図５】
0005040762.tif 000006
【図６】
0005040762.tif 000007
【図７】
0005040762.tif 000008
【図８】
0005040762.tif 000009